(57)【要約】      （修正有）【課題】調光制御線に誘導電圧等が発生しても、光源が不所望に調光点灯することが防止される点灯装置およびこの点灯装置を備える照明装置を提供する。【解決手段】点灯装置１は、第１の交流電源９ａを入力し、第１の交流電源９ａを調光信号に応じて所定の電力に変換して照明負荷４に供給する点灯回路２と、第１の交流電源９ａまたは第１の交流電源９ａと異なる第２の交流電源９ｂを入力し、入力した第１または第２の交流電源９ａ，９ｂの交流電圧の検出値が所定値以上のときに調光信号を点灯回路２に出力するとともに、第１の交流電源９ａの交流電圧に応じて検出値を可変する調光回路３と、を具備している。【選択図】図１
2015135795.tif 000002
【特許請求の範囲】
【請求項１】
第１の交流電源を入力し、この第１の交流電源を調光信号に応じて所定の電力に変換して照明負荷に供給する点灯回路と；  前記第１の交流電源または前記第１の交流電源と異なる第２の交流電源を入力し、入力した前記第１または第２の交流電源の交流電圧の検出値が所定値以上のときに調光信号を前記点灯回路に出力するとともに、前記第１の交流電源の交流電圧に応じて前記検出値を可変する調光回路と；を具備していることを特徴とする点灯装置。
【請求項２】
前記点灯回路は、前記第１の交流電源の交流電圧を検出し、当該交流電圧に応じた検出信号を前記調光回路に出力し、前記調光回路は、前記検出信号に応じて前記検出値を可変することを特徴とする請求項１記載の点灯装置。
【請求項３】
請求項１または２記載の点灯装置と；  この点灯装置により調光点灯される照明負荷と；  この照明負荷を配設している装置本体と；を具備していることを特徴とする照明装置。
【発明の詳細な説明】
【技術分野】
【０００１】
本発明の実施形態は、光源を調光点灯する点灯装置およびこの点灯装置により点灯される光源を有する照明装置に関する。
【背景技術】
【０００２】
照明装置としての道路灯は、夜間やトンネルなどの暗い場所で点灯されている。また、道路灯には、交通量の少ない時間帯例えば真夜中では調光点灯されて、省電力が図られているものがある。当該道路灯の調光点灯は、点灯装置の調光回路や調光器（調光装置）に調光制御信号を送出して行われており、調光制御信号の送出手段としてタイマーや移動体の検知装置などが用いられている（例えば特許文献１，２参照。）。  
【０００３】
そして、高速道路等の道路灯においては、調光制御線に調光制御信号として交流電圧を印加しているものがある（例えば特許文献３参照。）。当該交流電圧は、道路灯において所定電圧に変換されている。光源は、当該所定電圧に応じて調光点灯例えば５０％点灯されている。そして、調光制御線に印加される交流電圧は、比較的低い電圧値となっている。
【先行技術文献】
【特許文献】
【０００４】
【特許文献１】特開２００３−１６８５７５号公報（第２頁、第１図）
【特許文献２】特開２０１２−２２６９９３号公報（第４−５頁、第１図）
【特許文献３】特開２０１１−２２８９０８号公報（第４頁、第２図）
【発明の概要】
【発明が解決しようとする課題】
【０００５】
調光制御線は、点灯装置に交流電源を供給する電源線と一束され、あるいは電源線に隣接して配線されている。このため、調光制御線に電源線に印加している交流電圧の誘導電圧が発生することがある。この誘導電圧は、調光制御線に交流電圧が印加されていないときに、すなわち光源を調光点灯させないときに、光源を不所望に調光点灯させることがあった。  
【０００６】
また、誘導電圧の発生によって光源が不所望に調光点灯しないように、調光制御線に印加される交流電圧の設定値を大きくすると、調光制御線での交流電圧の電圧変動、点灯装置を形成する電子部品の特性ばらつきや温度特性などによっては、光源を調光点灯するように調光制御線に交流電圧を印加しても、光源が調光点灯しない場合があった。  
【０００７】
本発明の実施形態は、調光制御線に誘導電圧等が発生しても、光源が不所望に調光点灯することが防止される点灯装置およびこの点灯装置を備える照明装置を提供することを目的とする。
【課題を解決するための手段】
【０００８】
本実施形態の点灯装置は、点灯回路および調光回路を有して構成される。点灯回路は、第１の交流電源を入力し、調光回路は、第１の交流電源または第１の交流電源と異なる第２の交流電源を入力する。  
【０００９】
そして、点灯回路は、第１の交流電源を調光信号に応じて所定の電力に変換して照明負荷に供給するように形成される。また、調光回路は、入力した第１または第２の交流電源の交流電圧の検出値が所定値以上のときに調光信号を点灯回路に出力するとともに、第１の交流電源の交流電圧に応じて第１または第２の交流電源の交流電圧の検出値を可変するように形成される。
【発明の効果】
【００１０】
本実施形態の点灯装置によれば、調光回路は、入力した第１または第２の交流電源の交流電圧の検出値を点灯回路に入力する第１の交流電源の交流電圧に応じて可変するので、第１の交流電源による誘導電圧の検出値が所定値以上になることを防止することができ、これにより、照明負荷が不所望に調光点灯されることを防止できることが期待できる。
【図面の簡単な説明】
【００１１】
【図１】本発明の第１の実施形態を示す点灯装置の概略回路図である。
【図２】同上、第１の交流電源に対する検出値の可変を示す説明図である。
【図３】本発明の第２の実施形態を示す点灯装置の概略回路図である。
【発明を実施するための形態】
【００１２】
以下、本発明の一実施の形態について、図面を参照して説明する。まず、本発明の第１の実施形態について説明する。  本実施形態の点灯装置１は、図１に示すように、点灯回路２および調光回路３を有して構成される。点灯装置１は、照明負荷４を調光点灯する。照明負荷４は、例えばＬＥＤ（発光ダイオード）からなり、不図示の基板に複数個が実装されて直列接続または直並列接続されている。照明負荷４は、装置本体５に配設されている。そして、点灯装置１、照明負荷４および装置本体５により、照明装置６が構成されている。  
【００１３】
点灯回路２は、入力端子７ａ，７ｂが電磁開閉器８を介して第１の交流電源９ａに接続され、出力端子１０ａ，１０ｂが照明負荷４に接続されている。入力端子７ａ，７ｂは、電源線１１ａ，１１ｂにより電磁開閉器８に接続され、出力端子１０ａ，１０ｂは、出力線１２ａ，１２ｂにより照明負荷４に接続されている。第１の交流電源９ａの交流電圧は、１００Ｖないし２４２Ｖであり、本実施形態では１００Ｖまたは２００Ｖである。点灯回路２は、ＡＣ−ＤＣ変換回路１３、第1の電圧検出回路１４、制御回路であるマイコン１５、検出信号送信回路１６およびＤＣ−ＤＣ変換回路１７などを有して形成されている。  
【００１４】
ＡＣ−ＤＣ変換回路１３は、整流器１９およびコンデンサＣ１を有してなり、入力端子７ａ，７ｂに入力した第１の交流電源９ａの交流電圧を全波整流電圧に変換し、コンデンサＣ１の両端間に発生させる。第1の電圧検出回路１４は、コンデンサＣ１の両端間に接続された抵抗Ｒ１および抵抗Ｒ２の直列回路からなり、コンデンサＣ１の両端間電圧を検出してマイコン１５に入力する。すなわち、第1の電圧検出回路１４は、第１の交流電源９ａの交流電圧を検出する。  
【００１５】
マイコン１５は、不図示のＣＰＵ等を有してなり、調光回路３からの調光信号に応じてＤＣ−ＤＣ変換回路１７を制御するように形成されている。また、マイコン１５は、第１の電圧検出回路１４が検出する第１の交流電源９ａの交流電圧が基準値例えば１５０Ｖを下回るときに、Ｈｉｇｈの検出信号を検出信号送信回路１６から調光回路３に出力し、第１の交流電源９ａの交流電圧が基準値以上のときに、Ｌｏｗの検出信号を出力するように形成されている。本実施形態では、Ｈｉｇｈの検出信号は、検出電圧を出力し、Ｌｏｗの検出信号は、検出電圧を出力しないことを意味する。  
【００１６】
検出信号送信回路１６は、例えばＤＣ５Ｖの定電圧源２０、マイコン１５と整流器１９の負極出力端子との間に直列接続された抵抗Ｒ３，Ｒ４、定電圧源２０と整流器１９の負極出力端子との間に直列接続された抵抗Ｒ５、フォトカプラＰＣ１のフォトダイオードＰＤ１およびバイポーラトランジスタＴｒ１を有して形成されている。トランジスタＴｒ１のベースおよびエミッタは、抵抗Ｒ４の両端に接続されている。  
【００１７】
マイコン１５は、第１の交流電源９ａの交流電圧が高電圧である基準値例えば１５０Ｖを下回るときに、所定の検出電圧を抵抗Ｒ３および抵抗Ｒ４の直列回路に出力する。これにより、トランジスタＴｒ１がオンし、定電圧源２０からの電流がフォトダイオードＰＤ１に流れて、フォトダイオードＰＤ１が発光する。フォトダイオードＰＤ１が発光することにより、Ｈｉｇｈの検出信号が調光回路３に出力される。そして、マイコン１５は、第１の交流電源９ａの交流電圧が基準値以上のときに、所定の検出電圧を抵抗Ｒ３および抵抗Ｒ４の直列回路に出力しなく、Ｌｏｗの検出信号（ＤＣ０Ｖ）を調光回路３に出力するように形成されている。こうして、マイコン１５は、第１の交流電源９ａの交流電圧に応じた検出信号を調光回路３に出力するように形成されている。  
【００１８】
また、マイコン１５は、調光回路３から調光信号を入力するように形成されている。すなわち、マイコン１５は、例えばＤＣ５Ｖの定電圧源２１の定電圧が抵抗Ｒ６を介して入力されている。定電圧源２１と整流器１９の負極出力端子との間には、抵抗Ｒ６およびフォトカプラＰＣ２のフォトトランジスタＰＴｒ２の直列回路が接続されている。調光回路３からの調光信号によりフォトトランジスタＰＴｒ２がオンすると、定電圧源２１の定電圧がマイコン１５に入力されなくなる。これにより、マイコン１５は、調光回路３から調光信号を入力する。そして、マイコン１５は、定電圧源２１の定電圧が入力されているときに、調光信号を１００％とし、定電圧源２１の定電圧が入力されないときに、調光信号を５０％として、ＤＣ−ＤＣ変換回路１７を制御するように形成されている。  
【００１９】
ＤＣ−ＤＣ変換回路１７は、例えば降圧チョッパ回路に形成されている。すなわち、ＡＣ−ＤＣ変換回路１３のコンデンサＣ１の両端間に接続された電界効果トランジスタＱ１およびダイオードＤ１の直列回路と、ダイオードＤ１の両端間に接続されたインダクタＬ１および平滑用コンデンサＣ２の直列回路とを有して形成されている。平滑用コンデンサＣ２の両端は、出力端子１０ａ，１０ｂに接続されている。  
【００２０】
マイコン１５は、電界効果トランジスタＱ１をオンオフすると共に、定電圧源２１の定電圧の入力の有無に応じて、すなわち調光信号に応じて、電界効果トランジスタＱ１のオンデューティを変化させる。これにより、平滑用コンデンサＣ２の両端間に調光信号に応じた直流電圧が発生する。この直流電圧は、出力端子１０ａ，１０ｂに接続されている照明負荷４に印加される。照明負荷４には、調光信号に応じた所定の電流が流れる。照明負荷４は、点灯して、例えば白色光を放射する。マイコン１５は、定電圧源２１の定電圧を入力しているときに、すなわち調光信号１００％のときに、照明負荷４を全光（１００％）点灯し、定電圧源２１の定電圧を入力しないときに、すなわち調光信号５０％のときに、照明負荷４を調光（５０％）点灯するように制御する。  
【００２１】
こうして、点灯回路２は、入力端子７ａ，７ｂに第１の交流電源９ａの交流電圧を入力し、この交流電圧を調光信号に応じて所定の電力に変換して照明負荷４に供給し、照明負荷４を点灯するように形成されている。また、点灯回路２は、第１の交流電源９ａの交流電圧を検出し、当該交流電圧が基準値例えば１５０Ｖを下回るときに、Ｈｉｇｈの検出信号を、基準値以上のときに、Ｌｏｗの検出信号を調光回路３に出力するように形成されている。  
【００２２】
調光回路３は、入力端子２２ａ，２２ｂが電磁開閉器２４を介して第２の交流電源９ｂに接続されている。入力端子２２ａ，２２ｂは、調光線２３ａ，２３ｂにより電磁開閉器２４に接続されている。第２の交流電源９ｂの交流電圧は、１００Ｖないし２４２Ｖであり、ここではＡＣ１００Ｖである。そして、調光回路３は、ＡＣ−ＤＣ変換回路２５、第２の電圧検出回路２６および調光信号出力回路２７を有して形成されている。  
【００２３】
ＡＣ−ＤＣ変換回路２５は、整流器２８およびコンデンサＣ３を有してなり、入力端子２２ａ，２２ｂに入力した第２の交流電源９ｂの交流電圧を全波整流電圧に変換し、コンデンサＣ３の両端間に発生させる。第２の電圧検出回路２６は、コンデンサＣ３の両端間電圧を検出することにより、第２の交流電源９ｂの交流電圧を検出するものである。そして、第２の電圧検出回路２６は、コンデンサＣ３の両端間に接続された抵抗Ｒ７、抵抗Ｒ８および抵抗Ｒ９の直列回路からなっている。そして、本実施形態では、抵抗Ｒ９の両端間電圧を第２の交流電源９ａの交流電圧の検出値としている。  
【００２４】
コンデンサＣ３の両端には、調光信号出力回路２７を形成する抵抗Ｒ１０、フォトカプラＰＣ２のフォトダイオードＰＤ２およびバイポーラトランジスタＴｒ２の直列回路が接続されている。そして、抵抗Ｒ９の両端に抵抗Ｒ１１を介してトランジスタＴｒ２のベース、エミッタが接続されている。第２の交流電源９ｂの交流電圧の検出値が所定値以上であると、抵抗Ｒ９の両端間に発生する直流電圧により、トランジスタＴｒ２がオンするように設定されている。トランジスタＴｒ２がオンすると、フォトカプラＰＣ２のフォトダイオードＰＤ２にコンデンサＣ３からの電流が流れて、フォトダイオードＰＤ２が発光する。これにより、点灯回路２のフォトカプラＰＣ２のフォトトラ
ンジスタＰＴｒ２がオンして、定電圧源２１の定電圧がマイコン１５に入力されなくなるものである。こうして、調光回路３は、第２の交流電源９ｂの交流電圧の検出値が所定値以上のときに、トランジスタＴｒ２がオンすることにより、調光信号を点灯回路２に出力するように形成されている。  
【００２５】
また、第２の電圧検出回路２６の抵抗Ｒ７の両端には、フォトカプラＰＣ１のフォトトランジスタＰＴｒ１が接続されている。フォトトランジスタＰＴｒ１は、検出信号送信回路１６のフォトカプラＰＣ１のフォトダイオードＰＤ１の発光に伴ってオンする。すなわち、フォトトランジスタＰＴｒ１は、第１の交流電源９ａの交流電圧が基準値を下回るときにオンする。  
【００２６】
フォトトランジスタＰＴｒ１がオンすると、抵抗Ｒ７の両端間が短絡され、コンデンサＣ３の両端間電圧、すなわち第２の交流電源９ｂの交流電圧が抵抗Ｒ８および抵抗Ｒ９により検出される。抵抗Ｒ９は、第２の交流電源９ｂの交流電圧を検出する分圧比が大きくなる。これにより、第２の交流電源９ｂの交流電圧を検出する検出値が大きくなる。このように、調光回路３は、点灯回路２からの検出信号に応じて、すなわち第１の交流電源９ａの交流電圧に応じて第２の交流電源９ｂの交流電圧を検出する検出値を可変するように形成されている。  
【００２７】
そして、電磁開閉器８，２４は、電源制御装置２８によりオンオフされている。電源制御装置２８は、手動操作、センサ−やタイマーなどのいずれかによって、電磁開閉器８，２４をオンオフするように形成されている。電磁開閉器８がオンされると、点灯回路２により照明負荷４が点灯する。また、電磁開閉器２４がオンされると、調光回路３から点灯回路２に調光信号が出力されて、照明負荷４が５０％の調光率で点灯される。  
【００２８】
次に、本発明の第１の実施形態の作用について述べる。  
【００２９】
例えば夕方など、周囲が薄暗くなると、電源制御装置２８により電磁開閉器８がオンされる。電磁開閉器８がオンすると、第１の交流電源９ａの交流電圧が点灯回路２に入力され、点灯回路２が動作して照明負荷４に所定の電力を供給される。照明負荷４は、全光点灯し、例えば白色光を放射する。白色光は、装置本体５から外部空間に放射されて、路面等を照明する。  
【００３０】
そして、真夜中など、道路の交通量が少なくなると、電源制御装置２８により電磁開閉器２４がオンされる。電磁開閉器２４がオンすると、第２の交流電源９ｂの交流電圧が調光回路３に入力される。調光回路３は、入力した第２の交流電源９ｂの交流電圧の検出値が所定値以上であることにより、調光信号を点灯回路２に出力する。点灯回路２は、調光回路３からの調光信号に応じて照明負荷４を５０％の調光率で点灯させる。照明負荷４から放射される白色光は、ほぼ半減して路面等を照明する。  
【００３１】
そして、電源制御装置２８により電磁開閉器２４がオフされると、調光回路３から調光信号が出力されなくなり、点灯回路２は、照明負荷４を全光点灯させる。また、電源制御装置２８により電磁開閉器８がオフされると、照明負荷４は、消灯する。こうして、点灯装置１は、点灯回路２への第１の交流電源９ａの交流電圧の入力および調光回路３への第２の交流電源９ｂの交流電圧の入力に応じて、照明負荷４を全光（１００％）点灯または調光（５０％）点灯させる。  
【００３２】
今、第１の交流電源９ａの交流電圧が１００Ｖであり、第２の交流電源９ｂの交流電圧も同じく１００Ｖであるものとする。調光回路３は、第１の交流電源９ａの交流電圧を入力することと同等である。点灯回路２において、マイコン１５は、第１の電圧検出回路１４が検出する第１の交流電源９ａの交流電圧が基準値例えば１５０Ｖを下回るので、検出信号送信回路１６の抵抗Ｒ３および抵抗Ｒ４の直列回路に所定の検出電圧を出力する。これにより、トランジスタＴｒ１がオンして、定電圧源２０からの電流がフォトカプラＰＣ１のフォトダイオードＰＤ１に流れる。フォトダイオードＰＤ１は、発光し、調光回路３のフォトトランジスタＰＴｒ１がオンする。第２の電圧検出回路２６の抵抗Ｒ７の両端間が短絡される。  
【００３３】
第２の電圧検出回路２６は、抵抗Ｒ８および抵抗Ｒ９によりコンデンサＣ３の両端間電圧を分圧する。すなわち、入力端子２２ａ，２２ｂに入力する交流電圧を分圧する。そして、電磁開閉器２４がオンされて、第２の交流電源９ｂの交流電圧（１００Ｖ）が入力端子２２ａ，２２ｂに入力すると、抵抗Ｒ９の両端間電圧は、調光信号出力回路２７のトランジスタＴｒ２をオンする所定値以上となるものである。調光信号出力回路２７のトランジスタＴｒ２をオンし、フォトカプラＰＣ２のフォトトランジスタＰＤ２が発光することにより、調光信号出力回路２７から点灯回路２に調光信号が出力される。  
【００３４】
所定値は、例えばＤＣ３０Ｖであり、抵抗Ｒ９の両端間には、例えばＤＣ７０Ｖが発生する。所定値は、入力端子２２ａ，２２ｂにＡＣ４２Ｖの交流電圧が入力するときの抵抗Ｒ９の両端間電圧である。入力端子２２ａ，２２ｂに入力する第２の交流電源９ｂの交流電圧は、ＡＣ１００Ｖであり、その抵抗Ｒ９での検出値は、例えばＤＣ７０Ｖとなって所定値以上であるので、調光回路３は、上述したように、調光信号出力回路２７から点灯回路２に調光信号を出力する。  
【００３５】
そして、電磁開閉器２４がオフされて、第２の交流電源９ｂの交流電圧が入力端子２２ａ，２２ｂに入力されなくなると、第２の電圧検出回路２６の抵抗Ｒ９の両端間には、調光信号出力回路２７のトランジスタＴｒ２をオンさせる所定値以上の電圧が発生しなくなる。電磁開閉器２４がオフされているときには、調光回路３から点灯回路２に調光信号が出力されないものとなる。  
【００３６】
そして、電磁開閉器２４がオフされているとき、外部要因により、入力端子２２ａ，２２ｂに不所望の電圧が印加することがある。例えば、調光線２３ａ，２３ｂは、電源線１１ａ，１１ｂと一束され、あるいは接近して配線されているので、調光線２３ａ，２３ｂに第１の交流電源９ａの交流電圧による誘導電圧が発生することがある。この誘導電圧は、入力端子２３ａ，２３ｂに入力して、第２の電圧検出回路２６により検出される。  
【００３７】
しかしながら、第１の交流電源９ａの交流電圧は、ＡＣ１００Ｖであるので、調光線２３ａ，２３ｂに発生する誘導電圧は、相対的に低いものであり、図２に示すように、例えばＡＣ２０Ｖであり、抵抗Ｒ９の両端間に調光信号出力回路２７のトランジスタＴｒ２をオンさせる所定値以上の電圧が発生させないものである。抵抗Ｒ９は、例えばＤＣ１４Ｖを検出する。したがって、電磁開閉器２４がオフされているときに、すなわち照明負荷４を調光点灯しないときに、照明負荷４は、不所望に調光点灯しないものである。  
【００３８】
次に、第１の交流電源９ａの交流電圧が２００Ｖであり、第２の交流電源９ｂの交流電圧が１００Ｖである場合について説明する。点灯回路２において、マイコン１５は、第１の電圧検出回路１４が検出する第１の交流電源９ａの交流電圧が基準値例えば１５０Ｖ以上であるので、検出信号送信回路１６の抵抗Ｒ３および抵抗Ｒ４の直列回路に検出電圧を出力しない。トランジスタＴｒ１は、オフ状態となり、フォトカプラＰＣ１のフォトダイオードＰＤ１は、発光しなくなる。これにより、調光回路３のフォトトランジスタＰＴｒ１がオフ状態となり、第２の電圧検出回路２６は、抵抗Ｒ７、抵抗Ｒ８および抵抗Ｒ９により、コンデンサＣ３の両端間電圧を分圧する。  
【００３９】
そして、電磁開閉器２４がオンされて、第２の交流電源９ｂの交流電圧（１００Ｖ）が入力端子２２ａ，２２ｂに入力すると、抵抗Ｒ９の両端間電圧は、例えばＤＣ４５Ｖとなり、調光信号出力回路２７のトランジスタＴｒ２をオンする所定値（例えばＤＣ３０Ｖ）以上となるものである。調光信号出力回路２７のトランジスタＴｒ２をオンし、フォトカプラＰＣ２のフォトトランジスタＰＤ２が発光することにより、調光信号出力回路２７から点灯回路２に調光信号が出力される。  
【００４０】
そして、電磁開閉器２４がオフされているとき、すなわち、点灯回路２により照明負荷４が全光点灯されているとき、調光線２３ａ，２３ｂに第１の交流電源９ａの交流電圧による誘導電圧が発生することがある。この誘導電圧は、第１の交流電源９ａの交流電圧がＡＣ２００Ｖであることにより、図２に示すように、比較的高い電圧例えばＡＣ４０Ｖとなることがある。  
【００４１】
しかしながら、誘導電圧は、第２の電圧検出回路２６において、抵抗Ｒ７，Ｒ８および抵抗Ｒ９で分圧されるので、抵抗Ｒ９の両端間に例えばＤＣ２０Ｖの電圧が発生する。すなわち、誘導電圧は、調光信号出力回路２７のトランジスタＴｒ２をオンさせる所定値以上の電圧が発生させないものである。したがって、第１の交流電源９ａの交流電圧が基準値例えば１５０Ｖ以上のＡＣ２００Ｖであるときにおいても、電磁開閉器２４がオフされているときに、すなわち照明負荷４を調光点灯しないときに、照明負荷４は、不所望に調光点灯することが防止されるものである。そして、第２の交流電源９ｂの交流電圧が１００Ｖ以上例えば２００Ｖであっても、上述の説明と同様である。  
【００４２】
本実施形態の点灯装置１によれば、調光回路３は、入力した第２の交流電源９ｂの交流電圧の検出値を点灯回路２に入力する第１の交流電源９ａの交流電圧に応じて可変するので、第１の交流電源９ａによる誘導電圧の検出値が所定値以上になることを防止することができ、これにより、照明負荷４が不所望に調光点灯することを防止できるという効果を有する。  
【００４３】
また、第１の交流電源９ａの交流電圧は、点灯回路２で検出され、当該交流電圧が基準値例えばＡＣ１５０Ｖ以上のときに点灯回路２から調光回路３に検出信号が出力され、調光回路３は、検出信号に応じて第２の交流電源９ｂの交流電圧の検出値を第２の電圧検出回路２６において可変する構成であるので、点灯装置１を簡素な構成で形成できるという効果を有する。  
【００４４】
そして、本実施形態の点灯装置１を具備する照明装置６は、点灯装置１が第１の交流電源９ａによる誘導電圧等によって不所望に照明負荷４を調光点灯することが防止できるので、照明に対する安全性が高く、信頼性が向上するという効果を有する。  
【００４５】
次に、本発明の第２の実施形態について説明する。  
【００４６】
本実施形態の点灯装置３１は、図３に示すように構成される。なお、図１と同一部分には、同一符号を付して説明は省略する。  
【００４７】
点灯装置３１は、点灯回路３２および調光回路３３を有して形成されている。図３に示す点灯回路３２は、図１に示す点灯回路２において、検出信号送信回路１６が検出信号送信回路３４に置換された以外、点灯回路２と同様に形成されている。検出信号送信回路３４は、絶縁トランス３５を有してなり、この絶縁トランス３５の一次巻線３５ａがコンデンサＣ４およびダイオードＤ２の並列回路に直列接続されて、マイコン１５および整流器１９の負極出力端子の間に接続されている。  
【００４８】
マイコン１５は、第１の電圧検出回路１４が検出する第１の交流電源９ａの交流電圧が基準値例えばＡＣ１５０Ｖを下回るときに、絶縁トランス３５の一次巻線３５ａに検出信号としての検出電流を出力し、第１の交流電源９ａの交流電圧が基準値以上のときに、絶縁トランス３５に検出電流を出力しないように形成されている。すなわち、マイコン１５は、第１の交流電源９ａの交流電圧に応じた検出信号であるＨｉｇｈの検出信号またはＬｏｗの検出信号（ＤＣ０Ｖ）を出力する。  
【００４９】
図３に示す調光回路３３は、図１に示す調光回路３において、フォトカプラＰＣ１のフォトトランジスタＰＴｒ１に替えて、第２の電圧検出回路２６の抵抗Ｒ７の両端間にバイポーラトランジスタＴｒ３が接続されている。そして、トランジスタＴｒ３をオンオフする駆動回路を形成している以外、調光回路３と同様に形成されている。  
【００５０】
トランジスタＴｒ３のベースおよび整流器２８の負極出力端子の間
には、抵抗Ｒ１２、抵抗Ｒ１３および絶縁トランス３５の二次巻線３５ｂの直列回路が接続されている。そして、抵抗Ｒ１３および絶縁トランス３５の二次巻線３５ｂの直列回路と並列にダイオードＤ３および抵抗Ｒ１４の直列回路が接続されている。また、トランジスタＴｒ３のベースおよび整流器２８の負極出力端子の間には、抵抗Ｒ１５が接続され、さらに抵抗１２を介して互いに逆方向となるように直列接続されたツェナーダイオードＺＤ１，ＺＤ２が接続されている。  
【００５１】
点灯回路３２のマイコン１５は、入力端子７ａ，７ｂに入力する第１の交流電源９ａの交流電圧が基準値（例えばＡＣ１５０Ｖ）を下回る例えばＡＣ１００Ｖであるときに、検出信号送信回路３４の絶縁トランス３５の一次巻線３５ａに所定の検出電流を供給する。これにより、調光回路３３の絶縁トランス３５の二次巻線３５ｂに電流が誘起され、この電流がトランジスタＴｒ３のベース、エミッタに流れて、トランジスタＴｒ３がオンする。第２の電圧検出回路２６は、抵抗Ｒ８および抵抗Ｒ９により、コンデンサＣ３の両端間電圧を分圧し、抵抗Ｒ９の両端間電圧で入力端子２２ａ，２２ｂに入力する第２の交流電源９ｂの交流電圧または第１の交流電源９ａによって調光線２３ａ，２３ｂに発生する誘導電圧等を検出する。  
【００５２】
また、マイコン１５は、入力端子７ａ，７ｂに入力する第１の交流電源９ａの交流電圧が基準値（例えばＡＣ１５０Ｖ）以上である例えばＡＣ２００Ｖであるときには、検出信号送信回路３４の絶縁トランス３５に検出電流を出力しない。調光回路３３の絶縁トランス３５の二次巻線３５ｂには電流が流れないので、トランジスタＴｒ３は、オフ状態となる。第２の電圧検出回路２６は、抵抗Ｒ７、抵抗Ｒ８および抵抗Ｒ９により、コンデンサＣ３の両端間電圧を分圧し、抵抗Ｒ９の両端間電圧で入力端子２２ａ，２２ｂに入力する第２の交流電源９ｂの交流電圧または第１の交流電源９ａによって調光線２３ａ，２３ｂに発生する誘導電圧等を検出する。  
【００５３】
以下、点灯装置３１は、図１に示す点灯装置１と同様の作用、効果を有するものである。  
【００５４】
なお、本発明の上述した実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００５５】
１，３１…点灯装置、  ２，３２…点灯回路、  ３，３３…調光回路、  ４…照明負荷、  ５…装置本体、  ６…照明装置
【図１】
2015135795.tif 000003
【図２】
2015135795.tif 000004
【図３】
2015135795.tif 000005